(57)【要約】【課題】装置本体内に配設された発熱部を換気手段を用いて冷却しても風切り音等が装置本体から発生せず、静音が望まれる環境において使用することのできる内視鏡装置を提供する。【解決手段】柔軟であって細長な内視鏡挿入部２１を有する内視鏡２と、該内視鏡２の動作制御を行う装置本体８とを備えた内視鏡装置１であって、装置本体８内を換気する換気手段５０と、一端が装置本体８の接続口８１ｈに接続され、他端が換気手段５０の接続口に接続されることにより、装置本体８内と換気手段５０とを連通し、装置本体８内の雰囲気Ａ’を換気手段５０に導く案内手段１００と、を有することを特徴とする。【選択図】図３
2006030901.tif 000002
【特許請求の範囲】
【請求項１】
柔軟であって細長な内視鏡挿入部を有する内視鏡と、該内視鏡の動作制御を行う装置本体とを備えた内視鏡装置であって、
上記装置本体内を換気する換気手段と、
一端が上記装置本体の接続口に接続され、他端が上記換気手段の接続口に接続されることにより、上記装置本体内と上記換気手段とを連通し、上記装置本体内の雰囲気を上記換気手段に導く案内手段と、
を有することを特徴とする内視鏡装置。
【請求項２】
上記装置本体内に、上記内視鏡に照明光を供給する光源部が配設されていることを特徴とする請求項１に記載の内視鏡装置。
【請求項３】
上記換気手段は、ファンを有するユニットであることを特徴する請求項１または２に記載の内視鏡装置。
【請求項４】
上記案内手段の一端は、上記装置本体の接続口に固定されていることを特徴とする請求項１〜３のいずれかに記載の内視鏡装置。
【請求項５】
上記案内手段の他端は、上記換気手段の接続口に着脱自在であることを特徴とする請求項１〜４のいずれかに記載の内視鏡装置。
【請求項６】
上記案内手段は、該案内手段の一端を、該案内手段の他端に接続することにより、複数から構成されていることを特徴とする請求項１〜５に記載の内視鏡装置。
【請求項７】
上記換気手段は、上記案内手段とともに、上記装置本体に収納されることを特徴とする請求項１〜６のいずれかに記載の内視鏡装置。
【請求項８】
上記案内手段は、伸縮性を有し、且つ可撓性を有する管路により構成されていることを特徴とする請求項１〜７のいずれかに記載の内視鏡装置。
【請求項９】
上記案内手段は、硬質の樹脂により構成された蛇腹状の管であることを特徴とする請求項１〜８に記載の内視鏡装置。
【請求項１０】
上記案内手段は、ホースであることを特徴とする請求項１〜８に記載の内視鏡装置。
【請求項１１】
上記案内手段は、硬質のパイプであることを特徴とする請求項１〜６のいずれかに記載の内視鏡装置。
【請求項１２】
上記装置本体に、さらに換気手段が設けられていることを特徴とする請求項１〜１１のいずれかに記載の内視鏡装置。
【請求項１３】
上記装置本体と上記換気手段との少なくとも一方に、電源が配設されていることを特徴とする請求項１〜１２のいずれかに記載の内視鏡装置。
【請求項１４】
上記案内手段内に、該案内手段の一端と他端とを導通する導電体が配設されていることを特徴とする請求項１〜１３のいずれかに記載の内視鏡装置。
【請求項１５】
上記案内手段、上記装置本体及び上記換気手段の互いの接続口には、導電性のコネクタが配設されており、上記案内手段を上記装置本体または上記換気手段に接続すると、上記導電性のコネクタは、互いに接触し導通することを特徴とする請求項１〜３、５〜１４のいずれかに記載の内視鏡装置。
【請求項１６】
上記装置本体は、上記案内手段と、上記装置本体及び上記換気手段に配設された上記コネクタとが、互いに導通すると、上記案内手段に配設された上記導電体を介し、上記換気手段に電源を供給することを特徴とする請求項１５に記載の内視鏡装置。
【請求項１７】
上記換気手段は、上記案内手段と、上記装置本体及び上記換気手段に配設された上記コネクタとが、互いに導通すると、上記案内手段に配設された上記導電体を介し、上記装置本体に電源を供給することを特徴とする請求項１５に記載の内視鏡装置。  
【請求項１８】
上記装置本体の互いの接続口に、プッシュスイッチが配設されており、上記案内手段の接続口に、突起が配設されており、上記プッシュスイッチは、上記装置本体の接続口に上記案内手段が接続されると上記突起によりオンとなることを特徴とする請求項１〜３、５〜１４のいずれかに記載の内視鏡装置。
【請求項１９】
上記装置本体に配設された換気手段は、上記スイッチがオフの場合に、動作することを特徴とする請求項１８に記載の内視鏡装置。
【発明の詳細な説明】
【技術分野】
【０００１】
本発明は、内視鏡を動作制御する装置本体に、該装置本体を換気するユニットを有する内視鏡装置に関する。
【背景技術】
【０００２】
周知のように、内視鏡は、医療分野及び工業用分野において広く利用されている。医療分野において用いられる内視鏡は、細長い挿入部を体腔内に挿入することによって、体腔内の臓器を観察したり、必要に応じて処置具の挿通チャンネル内に挿入した処置具を用いて各種処置をしたりすることができる。
【０００３】
また、工業用分野において用いられる内視鏡は、細長い挿入部をジェットエンジン内や、発電所の配管等に挿入することによって、被検部位の傷及び腐蝕等の観察や各種処置等を行うことができる。
【０００４】
よって、工業用内視鏡の挿入部は、長い配管の内部等が十分に観察できるよう、医療用のものと比べ非常に長く形成されている。工業用内視鏡の細長の挿入部は、内視鏡検査を行わない場合は、内視鏡装置の装置本体の箱体に配設された、例えば回動自在なドラム部の外周に巻き付けられ、出来るだけコンパクトに内視鏡装置に収納、保管される。
【０００５】
内視鏡装置の箱体内に、上述したドラム部の他、電源部、挿入部に照明光を供給する光源部、挿入部先端の撮像素子に対して信号処理を行うカメラコントロールユニット（以下、ＣＣＵと称す）、挿入部の湾曲部を電動湾曲させる駆動機構を備えた電動湾曲装置、該電動湾曲装置を駆動制御して湾曲部の湾曲状態を制御する電動湾曲制御回路部等が設けられている。
【０００６】
そして、この内視鏡装置は、光源部、ＣＣＵ、電動湾曲装置、電動湾曲制御回路部等に、電源部から電力を供給する構成になっている。また、箱体の小型化を図るため、ドラム部内に、光源部、ＣＣＵ等の電気部品を配設する技術も周知である。
【０００７】
ところで、例えば光源部、ＣＣＵ等は、電源が供給されると発熱する。この際、ある一定の温度以上発熱すると、光源部が割れたり、箱体またはドラム内の雰囲気を過度に熱してしまい、他の箱体またはドラム部内に配設された部品に熱が伝播してしまい、該部品に悪影響を及ぼす場合がある。
【０００８】
このような事情に鑑み、特許文献１には、ドラム部内に配設されている光源等の発熱部を冷却し、冷却に用いた雰囲気を装置本体に形成された排出口から装置本体外に排気する冷却ファンを装置本体内であってドラム部の側面に設ける技術の提案がなされている。この構成によれば、ドラム部内または装置本体内の雰囲気を確実に冷却することができるといった効果がある。
【０００９】
また、特許文献２には、送風手段を有する冷却ユニットを強制冷却が必要な機器に装着することにより、強制冷却が必要な機器内の雰囲気の冷却を、機器の動作環境に応じて、機構及び性能を自由に選択して行える冷却ユニットが提案されている。
【特許文献１】特開２００１−３３０７８３号公報
【特許文献２】特開平９−２６６３９１号公報
【発明の開示】
【発明が解決しようとする課題】
【００１０】
ところで、近年、工業用内視鏡による観察用途は多様化しており、静音環境下において工業用内視鏡装置が使用される場合がある。
【００１１】
しかしながら、特許文献１に提案された内視鏡装置においては、装置本体内に冷却ファンを設けていることから、装置本体内でのファンの風切り音、及びファンを駆動するモータ音等の騒音が大きくなってしまうため、例えば静音環境下において、作業者が小さな電子音を聞き分けることにより行う検査等には向かないといった問題がある。
【００１２】
また、特許文献２に提案された冷却ユニットにおいても、該冷却ユニットは装置本体に装着されるため、装置本体近傍から大きなファンの風切り音、及びファンを駆動するモータ音等が作業者に聞こえてしまう。
【００１３】
本発明は、上記問題点および上記事情に鑑みてなされたものであり、装置本体内に配設された発熱部を確実に冷却させることができ、静音が望まれる環境においても使用することができる内視鏡装置を提供することを目的とする。
【課題を解決するための手段】
【００１４】
上記目的を達成するために本発明による内視鏡装置は、柔軟であって細長な内視鏡挿入部を有する内視鏡と、該内視鏡の動作制御を行う装置本体とを備えた内視鏡装置であって、上記装置本体内を換気する換気手段と、一端が上記装置本体の接続口に接続され、他端が上記換気手段の接続口に接続されることにより、上記装置本体内と上記換気手段とを連通し、上記装置本体内の雰囲気を上記換気手段に導く案内手段と、を有することを特徴とする。
【発明の効果】
【００１５】
本発明の内視鏡装置によれば、装置本体内に配設された発熱部を確実に冷却させることができ、静音が望まれる環境においても使用することができる。
【発明を実施するための最良の形態】
【００１６】
以下、図面を参照して本発明の実施の形態を説明する。  
（第１実施の形態）
図１は、本発明の第１実施の形態を示す内視鏡装置の一部を破いて示した斜視図、図２は、図１中のドラム部と周辺部材の一部を破いて構成を示した部分透視斜視図である。
【００１７】
図１に示すように、内視鏡装置１は、柔軟であって細長の挿入部２１を有する工業用の内視鏡（以下内視鏡と称す）２と、装置本体８とにより、主要部が構成されている。装置本体８は、移動用の車輪９９を下部に有する箱体８１と、該箱体８１の上部に開閉自在に接続された蓋体８２とにより構成され、未使用の際に内視鏡２等が収納される。尚、内視鏡２は、医療用内視鏡であってもよい。
【００１８】
装置本体８の箱体８１の任意の側面に、箱体８１の内部８１ｉに配設された後述するドラム部３の外周面３ａに内視鏡２の挿入部２１を巻き取るためのドラムハンドル１４１が取り付けられたドラム巻取り蓋１４０が配設されている。
【００１９】
また、箱体８１の上面のフロントパネル８１Ｆに、内視鏡２によって撮像された被検部位の画像を表示するモニタ７が配設されている。さらに、箱体８１のフロントパネル８１Ｆに、装置本体８の箱体８１の内部８１ｉに空気Ａを流入する内部８１ｉと外部とを連通する開口６５が例えば２つ形成されている。
【００２０】
装置本体８の箱体８１の内部８１ｉに、収納した内視鏡２に外部から加わる衝撃力を吸収する図示しない緩衝材等が備えられている。また、箱体８１の内部８１ｉに、内視鏡２を収納する際、内視鏡２の挿入部２１を外周面３ａに巻き取る、または内視鏡２を使用する際、挿入部２１を外周面３ａから繰り出すドラム部３、電源ユニット４０、電源分配基板４１（図２参照）等が収納されている。
【００２１】
図２に示すように、電源ユニット４０に、電源プラグ１５が接続されており、電源ユニット４０は、外部から電力が供給されるようになっている。尚、電源ユニット４０への電力の供給は、内蔵したバッテリから行っても良い。
【００２２】
電源ユニット４０は、電源分配基板４１及びケーブル（以下、ＦＦＣ（Flat Flexible Cable）と称す）４２を介して、ドラム部３と接続されている。詳しくは、電源ユニット４０の出力コネクタ４０ａは、電源分配基板４１に接続されている。
【００２３】
また、ドラム部３の回動数に応じた長さであって柔軟で平らな形状に構成されたＦＦＣ４２は、ドラム部３の回動軸３１に巻き付けられており、該ＦＦＣ４２の一端は、例えばドラム部３内に配設された図示しないカメラコントロールユニット（以下、ＣＣＵと称す）に接続されており、他端は電源分配基板４１に接続されている。よって、電源ユニット４０から供給された電源は、電源分配基板４１により、ＦＦＣ４２を介してドラム部３に供給される。
【００２４】
ドラム部３は、例えばアルミで構成されており、外壁部である上面板３ｊ，下面板３ｋ及び外周面３ａを有する管状部材により構成されたフランジ形状を有している。また、上面板３ｊまたは下面板３ｋの任意の位置に、ドラム部３の内部３ｉと箱体８１の内部８１ｉとを連通する貫通孔３ｈが形成されている。ドラム部３は、箱体８１の内部に配設された図示しない部材により、回動自在に軸支されている。
【００２５】
ドラム部３の内部３ｉに、発熱部７７、挿入部２１の湾曲部を電動湾曲させる駆動機構を備えた電動湾曲装置、該電動湾曲装置を駆動制御して湾曲部の湾曲状態を制御する電動湾曲制御回路部、内視鏡２により撮像された被検部位の画像を記録する記録ユニット等が配設されている。
【００２６】
尚、発熱部７７、挿入部２１の湾曲部を電動湾曲させる駆動機構を備えた電動湾曲装置、該電動湾曲装置を駆動制御して湾曲部の湾曲状態を制御する電動湾曲制御回路部等は、ドラム部３の内部３ｉに限らず、箱体８１の内部８１ｉに配設されていても良い。
【００２７】
発熱部７７は、電源が供給されることにより、発熱する部材により構成されている。例えば挿入部２１の基端に連結されることにより、挿入部２１に挿通された図示しないライトカイドの基端面に照明光を供給するランプ部と点灯装置（いずれも図示されず）とにより主要部が構成された光源部、または挿入部２１の先端部に配設された図示しない電荷結合素子型固体撮像素子等に対する信号処理を行うＣＣＵが挙げられる。尚、以下、発熱部７７は、光源部を例に挙げて説明する。
【００２８】
図１に戻って、装置本体８の箱体８１のドラム巻取り蓋１４０が配設された側面以外の任意の側面の下側に、後述する連通管１００（図３参照）及び換気手段である換気ユニット５０が収納される窪み８１ｓが形成されている。
【００２９】
窪み８１に、箱体８１の内部８１ｉと外部とを連通する接続口である排気口８１ｈが形成されている。尚、排気口８１ｈは、箱体８１の内部８１ｉに、光源部７７が配設されている場合には、後述する図４に示すように、光源部７７の近傍に形成されている。
【００３０】
さらに、箱体８１の窪み８１ｓが形成された側面であって、該窪み８１ｓの近傍に、雌ねじが内周に形成された後述するブレスナット８１ｎ（図４参照）が、例えば圧入されて配設されている。
【００３１】
次に、箱体８１と換気ユニット５０との接続構造、及び換気ユニット５０の構成について、図３から図６を用いて説明する。図３は、図１の内視鏡装置の箱体から、換気ユニット５０を引き出した状態を示す斜視図、図４は、図３の概略正面図、図５は、図４の換気ユニットを箱体に収納した状態を示す概略正面図、図６は、図１の内視鏡装置の箱体から引き出した換気ユニット５０を、箱体８１に対して壁を挟んで配置した状態を示す斜視図である。
【００３２】
図４に示すように、箱体８１の窪み８１ｓに形成された排気口８１ｈに、案内手段である蛇腹状の連通管１００の一端に配設された開口を有する連結部１００ａが気密となるよう固定されている。連通管１００は、可撓性を有し、伸縮自在な、例えば硬質の樹脂により所定の長さを有して構成されている。連通管１００は、硬質の樹脂により構成されていることから、伸縮した状態及び変形した状態において、連通管１００の形状を固定することができる。
【００３３】
連通管１００の他端に配設された開口を有する連結部１００ｂは、換気ユニット５０の後述する吸気口５０ｅに気密となるよう固定されている。このことにより、連通管１００は、箱体８１の内部８１ｉと換気ユニット５０の内部とを連通する。
【００３４】
換気ユニット５０は、箱体８１の内部８１ｉの雰囲気を箱体８１の外部に排気することにより、内部８１ｉを換気する。換気ユニット５０に、電源プラグ１４が接続されており、換気ユニット５０は、電源プラグ１４により外部から電力が供給されるようになっている。尚、換気ユニット５０への電力の供給は、内蔵したバッテリから行っても良い。
【００３５】
換気ユニット５０の一端に、該換気ユニット５０の内部と外部とを連通する接続口である吸気口５０ｅが形成されており、換気ユニット５０の他端に、該換気ユニット５０の内部と外部とを連通する排気口５０ｈが形成されている。
【００３６】
換気ユニット５０の内部であって、排気口５０ｈの近傍に、ファン５１及び図示しないモータを有する電源ユニット５０ａが配設されている。電源ユニット５０ａは、電源プラグ１４を介して外部から供給された電力を用いて、ファン５１を回動させる。
【００３７】
また、換気ユニット５０の排気口５０ｈが形成された他端の面に、固定板５３が固着されおり、該固定板５３に、該固定板５３にネジ下が挿通された雄ネジが外周に形成されたネジ部５４ａ及びネジ頭５４ｂから構成されるツマミネジ５４が配設されている。
【００３８】
ツマミネジ５４のネジ部５４ａは、換気ユニット５０が、箱体８１の窪み８１ｓに収納された際、図５に示すように、箱体８１に圧入されたブレスナット８１ｎの内部に形成された雌ネジに螺合する。このことにより、換気ユニット５０は、箱体８１に固定される。
【００３９】
以下、このように構成された本実施形態の内視鏡装置１の作用を説明する。  
内視鏡装置１を使用する際、先ず使用者により、ツマミネジ５４のネジ頭５４ｂが回転させられる。このことにより、箱体８１に圧入されたブレスナット８１ｎに螺合しているツマミネジ５４のネジ部５４ａは、ブレスナット８１ｎから外される。よって、換気ユニット５０は、箱体８１の窪み８１ｓから外される。
【００４０】
次に、換気ユニット５０は、図３に示すように、使用者により、箱体８１から遠方に、移動され設置される。この際、蛇腹状の連通管１００は、図５に示す状態から図３に示す状態のように伸張され、その形状が固定される。
【００４１】
また、連通管１００は、可撓性を有するため、図６に示すように、換気ユニット５０を、例えば箱体８１に対して壁１２０を挟んで設置してもよい。また、連通管１００は、変形させることにより自由な位置に配置することができる。
【００４２】
次に、図示しないリモコンによって、内視鏡装置１の電源がオンされると、換気ユニット５０に配設された電源ユニット５０ａによりファン５１は一の方向に回転する。このことにより、図３に示すように、空気Ａは、箱体８１のフロントパネル８１Ｆに形成された開口６５から箱体８１の内部８１ｉに進入する。
【００４３】
尚、換気ユニット５０は、連通管１００を介して箱体８１の遠方に設置されているため、内視鏡装置１を使用する使用者に対しては、ファン５１が回転する際のファン５１の風切り音、電源ユニット５０ａのモータ音が届きにくくなり、静音下において内視鏡操作を行うことができる。
【００４４】
箱体８１の内部８１ｉに進入した空気Ａは、箱体８１の内部８１ｉまたは貫通孔３ｈを介してドラム部３の内部３ｉに配設された光源部７７等の発熱部に送気される。このことにより、光源部７７は冷却され、さらに箱体８１の内部８１ｉ及びドラム部３の内部３ｉの雰囲気は冷却される。
【００４５】
その後、箱体８１の内部８１ｉの雰囲気Ａ’は、箱体８１の窪み８１ｓに形成された排気口８１ｈから、該排気口８１ｈに気密となるよう一端が固定された連結部１００ａを介して蛇腹状の連通管１００に進入する。さらに、雰囲気Ａ’は、連通管１００を通って、連結部１００ｂから該連結部１００ｂに気密となるよう固定された換気ユニット５０の吸気口５０ｅを介して換気ユニット５０に進入する。
【００４６】
次いで、換気ユニット５０に進入した雰囲気Ａ’は、排気口５０ｈから外方に排気される。このようにして、箱体８１の内部８１ｉの雰囲気は、箱体８１の外部に排気される。
【００４７】
また、内視鏡装置１の使用を終了する際は、連通管１００を収縮することにより、換気ユニット５０は、箱体８１の窪み８１ｓに収納される。この際、ツマミネジ５４のネジ部５４ａを箱体８１に圧入されたブレスナット８１ｎに螺合すると、換気ユニット５０は、箱体８１に固定される。このことにより、装置本体８を運搬する際の運搬性が向上する。
【００４８】
尚、連通管１００は、硬質の樹脂により構成されているため、縮小した形状において形状を固定することができることから、ツマミネジ５４による固定は行わなくともよい。
【００４９】
このように、本発明の一実施の形態を示す内視鏡装置１においては、箱体８１の内部８１ｉの雰囲気Ａ’を排出する換気ユニット５０を、箱体８１から離れた位置に設置できるようにした。
【００５０】
よって、箱体８１の内部８１ｉの雰囲気Ａ’を排出するため、換気ユニット５０の内部において回転するファン５１の風切り音及びファン５１を駆動する電源ユニット５０ａのモータの駆動音が、箱体８１の近傍において内視鏡装置１を操作する操作者に届きにくくなるため、操作者は、静音下において内視鏡操作を行うことができる。
【００５１】
また、図６に示すように、箱体８１に対して壁１２０を挟んで換気ユニット５０を設置した場合、壁１２０が遮音効果の高い壁であれば、使用者は、ファン５１が回転する際のファン５１の風切り音、電源ユニット５０ａの駆動モータのモータ音が、箱体８１の近傍において内視鏡装置１を操作する操作者に届きにくくなるため、操作者は、静音下において内視鏡操作を行うことができる。
【００５２】
さらに、換気ユニット５０を、箱体８１とは別の部屋に設置すれば、使用者は、ファン５１が回転する際のファン５１の風切り音、上記駆動モータのモータ音がさらにより一層箱体８１の近傍において内視鏡装置１を操作する操作者に届きにくくなるため、操作者は、静音下において内視鏡操作を行うことができる。
【００５３】
また、換気ユニット５０を箱体８１から離れた位置に設置することにより、箱体８１の内部８１ｉの雰囲気Ａ’を箱体８１から離れた位置に排出することができるため、箱体８１の近傍の雰囲気が排出された雰囲気Ａ’により熱されることがない。
【００５４】
さらに、換気ユニット５０を箱体８１の遠方に設置したとしても、箱体８１と換気ユニット５０とは連通管１００により接続されていることから、換気ユニット５０の内部に配設されたファン５１が一の方向に回転することにより、箱体８１の内部８１ｉに、開口６５から確実に空気Ａが進入し、箱体８１の内部８１ｉの雰囲気Ａ’は、確実に換気ユニット５０の排気口５０ｈから排気される。
【００５５】
また、箱体８１の内部８１ｉに、光源部７７が配設されている場合には、排気口８１ｈは、図４に示すように、光源部７７の近傍に形成されていることから、確実に光源部７７を冷却することができる。
【００５６】
このことから、本発明によれば、箱体８１内に配設された光源部７７を確実に冷却させることができ、静音が望まれる環境においても使用することができる内視鏡装置１を提供することができる。
【００５７】
尚、以下、変形例を示す。本形態においては、冷却される発熱部は、光源部３２を例に挙げて示したが、ＣＣＵでも良く、さらに、ドラム部内に配設され、電源が供給されることにより発熱するものであれば、あらゆる電気部品でも良いことは勿論である。
【００５８】
また、換気ユニット５０のファン５１が一の方向に回転することにより、フロントパネル８１Ｆの開口６５から箱体８１の内部８１ｉに空気Ａが進入し、箱体８１の内部８１ｉの雰囲気Ａ’は、換気ユニット５０の排気口５０ｈから排出されると示した。
【００５９】
これに限らず、換気ユニット５０のファン５１が一の方向とは反対の他の方向に回転することにより、換気ユニット５０の排気口５０ｈから箱体８１の内部８１ｉに空気Ａが進入し、箱体８１の内部８１ｉの雰囲気Ａ’は、フロントパネル８１Ｆの開口６５から排出されるようにしても本実施の形態と同様の効果を得ることができる。
【００６０】
また、窪み８１ｓは、箱体８１のドラム巻取り蓋１４０が配設された側面以外の任意の側面の下側に形成されていると示したが、下側でなくともよい。
【００６１】
（第２実施の形態）
図７は、本発明の第２実施の形態を示す内視鏡装置の箱体と、換気ユニットとを接続する連通管の断面図である。  
この第２実施の形態の内視鏡装置２０１の構成は、上記図１乃至図６に示した内視鏡装置１と比して、連通管の一端に固定された開口を有する連結部と他端に固定された開口を有する連結部とをそれぞれ箱体８１の排出口及び換気ユニット５０の吸気口に固定しない点が異なる。よって、この相違点のみを説明し、第１実施の形態と同様の構成には同じ符号を付し、その説明は省略する。
【００６２】
図７に示すように、箱体８１の接続口である排気口８１ｈが開口されている部位に、座金２２１で形成され、略中央に、排気口８１ｈと連通する貫通孔２２１ｈが形成された接続口である連結部２８１がネジ２２９により固定されている。尚、箱体８１と座金２２１との間の間隙に、図示しない充填剤が塗布されている。また、座金２２１の外周面に、雄ネジ２２８が形成されている。さらに、座金２２１の箱体８１と固定されていない面に、穴２２６が穿設されている。
【００６３】
案内手段である蛇腹状の管である連通管２００は、可撓性を有し、伸縮自在な、例えば硬質の樹脂により所定の長さを有して構成されている。連通管２００の一端側に、コの字状を有する連結部２００ａが固定されている。
【００６４】
詳しくは、連結部２００ａの底面略中央に、貫通孔２００ａｈが形成されている。貫通孔２００ａｈの内周には、貫通孔２２２ｈが形成された座金２２２の脚部が嵌入している。該座金２２２の脚部の外周に、連通管２００の一端の内周が気密となるよう固定されている。
【００６５】
座金２２２の台形部は、連結部２００ａの内部の底面に配設されている。尚、座金２２２の先端面は、連結部２００ａの先端よりも、後方に位置している。また、座金２２２に、挿通孔が形成されており、該挿通孔に、先端が、該座金２２２の先端面よりも高く位置するよう回動防止ピン２２４が挿通されている。さらに、座金２２２の先端面に、弾性体２２３が重畳されている。
【００６６】
回動防止ピン２２４の一端は、連結部２００ａの底面に固定されており、他端は、接続の際、連結部２８１に穿設された穴２２６に嵌入される。連結部２００ａの内周に、雌ネジ２２５が形成されている。雌ネジ２２５は、連結部２８１の座金２２１の外周に形成された雄ネジ２２８に螺合される。
【００６７】
連通管２００の他端側に、コの字状を有する座金２３１で形成され、略中央に、貫通孔２３１ｈが形成された連結部２００ｂが固定されている。詳しくは、座金２３１の脚部の外周に連通管２００の他端の内周が気密となるよう固定されている。座金２３１の外周に、雄ネジ２３８が形成されている。また、座金２３１の連通管２００の他端と固定されていない面に、穴２３６が穿設されている。
【００６８】
換気ユニット５０の接続口である吸気口５０ｅが開口されている部位に、コの字状を有する接続口である連結部２５１がネジ２３９により固定されている。詳しくは、連結部２５１の底面略中央に、貫通孔２５１ｈが形成されている。
【００６９】
貫通孔２５１ｈの内周には、吸気口５０ｅと連通する貫通孔２３２ｈが形成された座金２３２の脚部が嵌入している。該座金２３２の脚部がネジ２３９により換気ユニット５０に固定されている。尚、座金２３２の脚部と換気ユニット５０との間の間隙に、図示しない充填剤が塗布されている。
【００７０】
座金２３２の台形部は、連結部２５１の内部の底面に配設されている。尚、座金２３２の先端面は、連結部２５１の先端よりも、後方に位置している。また、座金２３２に、挿通孔が形成されており、該挿通孔に、先端が、該座金２３２の先端面よりも高く位置するよう回動防止ピン２３４が挿通されている。さらに、座金２３２の先端面に、弾性体２３３が重畳されている。
【００７１】
回動防止ピン２３４の一端は、連結部２５１の底面に固定されており、他端は、連通管２００の連結部２００ｂの座金２３１に穿設された穴２３６に嵌入される。連結部２５１の内周に、雌ネジ２３５が形成されている。雌ネジ２３５は、連通管２００の連結部２００ｂの雄ネジ２３８に螺合される。
【００７２】
以下、このように構成された本実施形態の内視鏡装置２０１の作用を説明する。箱体８１に連通管２００が接続される際は、連通管２００の連結部２００ａの内周に形成された雌ネジ２２５は、箱体８１に固定された連結部２８１の座金２２１の外周に形成された雄ネジ２２８に螺合される。
【００７３】
このことにより、連結部２００ａの回動防止ピン２２４は、連結部２８１の穴２２６に嵌入し、連結部２８１の後端面は、連結部２００ａの弾性体２２３の先端面に密着される。よって、箱体８１の接続口である排気口８１ｈと連通する連結部２８１の貫通孔２２１ｈと、連結部２００ａの座金２２２の貫通孔２２２ｈとは気密に連通され、連通管２００の一端は、箱体８１に接続される。
【００７４】
尚、雄ネジ２２８に螺合している雌ネジ２２５が雄ネジ２２８から外されることにより、連通管２００の一端に固定された連結部２００ａは、箱体８１に固定された連結部２８１から脱却される。
【００７５】
換気ユニット５０に連通管２００が接続される際は、連通管２００の連結部２００ｂの外周に形成された雄ネジ２３８は、換気ユニット５０に固定された連結部２５１の内周に形成された雌ネジ２３５に螺合される。
【００７６】
このことにより、連結部２５１の回動防止ピン２３４は、連結部２００ｂの穴２３６に嵌入し、連結部２００ｂの後端面は、連結部２５１の弾性体２３３の先端面に密着される。よって、連結部２００ｂの貫通孔２３１ｈと、換気ユニット５０の接続口である吸気口５０ｅと連通する連結部２５１の座金２３２の貫通孔２３２ｈとは気密に連通され、連通管２００の他端は、換気ユニット５０に接続される。
【００７７】
尚、雌ネジ２３５に螺合している雄ネジ２３８が雌ネジ２３５から外されることにより、連通管２００の他端に固定された連結部２００ｂは、換気ユニット５０に固定された連結部２５１から脱却される。
【００７８】
このように、本発明の第２実施の形態を示す内視鏡装置２０１においては、箱体８１の排気口８１ｈと連通管２００の一端とを着脱自在とした。また、連通管２００の他端と、換気ユニット５０の吸気口５０ｅとも着脱自在とした。
【００７９】
このことにより、箱体８１に固定された連結部２８１に、径の異なる連通管２００を連結部２００ａを介して接続することができるため、箱体８１に径の大きな連通路を接続することができ、排気効率を高めることができる。
【００８０】
また、連通管２００の一端に固定された連結部２００ａは、連結部２００ｂの他端に接続することができる。詳しくは、連通管２００の連結部２００ａの内周に形成された雌ネジ２２５は、連通管２００の他端に固定された連結部２００ｂの外周に形成された雄ネジ２３８に螺合することができる。
【００８１】
この際、連結部２００ａの回動防止ピン２２４は、連結部２００ｂの穴２３６に嵌入し、連結部２００ｂの後端面は、連結部２００ａの弾性体２２３の先端面に密着される。よって、連結部２００ｂの貫通孔２３１ｈと、連結部２００ａの座金２２２の貫通孔２２２ｈとは気密に連通される。
【００８２】
即ち、連通管２００を複数容易すれば、連結部２００ａ、２００ｂにより連通管２００を互いに複数連結することができる。よって、連結部２００ｂに接続される換気ユニット５０を箱体８１からより遠方に配置することができる。
【００８３】
また、連通管２００の連結部２００ｂは、換気ユニット５０と着脱自在であることから、連結部２００ｂを、例えば工場に設置された排気装置に接続することも可能となる。これによれば、内視鏡装置２０１を工場の排出装置と一体に使用することができる。
【００８４】
尚、その他の効果は、上述した第１実施の形態に示した効果と同様である。よって、静音が望まれる環境においても使用することができる内視鏡装置２０１を提供することができる。
【００８５】
以下、変形例を示す。本実施の形態においては、箱体８１に固定された連結部２８１と連通管２００の一端に固定された連結部２００ａとは、着脱自在であると示したが、これに限らず、固定されていてもよい。即ち、連通管２００の他端に固定された連結部２００ｂと換気ユニット５０に固定された連結部２５１とのみが着脱自在であってもよい。
【００８６】
（第３実施の形態）
図８は、本発明の第３実施の形態を示す内視鏡装置の箱体と、換気ユニットとを接続する連通管の断面図である。  
この第３実施の形態の内視鏡装置３０１の構成は、上記図７に示した第２実施の形態の内視鏡装置２０１と比して、連通管２００の内部に導電体を設けた点のみが異なる。よって、この相違点のみを説明し、第２実施の形態と同様の構成には同じ符号を付し、その説明は省略する。
【００８７】
図８に示すように、内視鏡装置３０１の箱体８１に固定された連結部２８１に配設された座金２２１の内周面に、導電体により構成されたコネクタ３５１が配設されている。コネクタ３５１に、箱体８１に配設された電源ユニット４０（図２参照）に一端が接続された電力供給線３５１ａの他端が接続されている。
【００８８】
連通管２００の一端に固定された連結部２００ａに配設された座金２２２の内周面の先端側に、導電体により構成されたコネクタ３５２が配設されている。また、連通管２００の他端に固定された連結部２００ｂに配設された座金２３１の内周面の後端側に、導電体により構成されたコネクタ３５４が配設されている。コネクタ３５２とコネクタ３５４とは、連通管２００の内部に配設された導電体である電力供給線３５３によって接続されている。
【００８９】
換気ユニット５０に固定された連結部２５１に配設された座金２３２の内周面に、導電体により構成されたコネクタ３５５が配設されている。コネクタ３５５に、換気ユニット５０に配設されたファン５１を駆動する電源ユニット５０ａに一端が接続された電力供給線３５５ａの他端が接続されている。
【００９０】
以下、このように構成された本実施形態の内視鏡装置３０１の作用を説明する。  
箱体８１に連通管２００が接続される際は、連通管２００の連結部２００ａの内周に形成された雌ネジ２２５は、上述したように、箱体８１に固定された連結部２８１の座金２２１の外周に形成された雄ネジ２２８に螺合される。このことにより、連結部２８１に配設されたコネクタ３５１と、連結部２００ａに配設されたコネクタ３５２とは、接触し導通する。
【００９１】
換気ユニット５０に連通管２００が接続される際は、連通管２００の連結部２００ｂの外周に形成された雄ネジ２３８は、上述したように、換気ユニット５０に固定された連結部２５１の内周に形成された雌ネジ２３５に螺合される。このことにより、連結部２００ｂに配設されたコネクタ３５４と、連結部２５１に配設されたコネクタ３５５とは、接触し導通する。
【００９２】
よって、箱体８１に配設された電源ユニット４０に、電源プラグ１５（いずれも図２参照）を介して外部から電力が供給された際、該電力は、連結部２８１に配設された電力供給線３５１ａ及びコネクタ３５１、連通管２００に配設されたコネクタ３５２、電力供給線３５３及びコネクタ３５４、連結部２５１に配設されたコネクタ３５５及び電力供給線３５５ａを介して換気ユニット５０に供給される。
【００９３】
よって、本発明の第３実施の形態を示す内視鏡装置３０１においては、換気ユニット５０に、電源プラグ１４を接続し、該電源プラグ１４から電源となる電力を供給する必要がなくなるため、製造コストを削減することができろ。また、このことにより内視鏡装置１の一体化により、軽量、小型化を図ることができ、部品点数を削減することができる。
【００９４】
一方、換気ユニット５０に配設されたファン５１を回動駆動する電源ユニット５０ａに、電源プラグ１４（図２参照）を介して外部から電力が供給された際、該電力は、連結部２５１に配設された電力供給線３５５ａ及びコネクタ３５５、連通管２００に配設されたコネクタ３５４、電力供給線３５３及びコネクタ３５２、連結部２８１に配設されたコネクタ３５１及び電力供給線３５１ａを介して箱体８１に配設された電源ユニット４０に供給される。
【００９５】
よって、本発明の第３実施の形態を示す内視鏡装置３０１においては、電源ユニット４０に、電源プラグ１５を接続し、該電源プラグ１５から電源である電力を供給する必要がなくなるため、製造コストを削減することができる。また、このことにより内視鏡装置１の一体化により、軽量、小型化を図ることができ、部品点数を削減することができる。
【００９６】
尚、その他の効果は、上述した第１実施及び第２実施の形態に示した効果と同様である。よって、静音が望まれる環境においても使用することができる内視鏡装置３０１を提供することができる。
【００９７】
以下、変形例を示す。本実施の形態においては、コネクタ３５１，３５２，３５４，３５５及び電力供給線３５１ａ、３５３、３５５ａは、箱体８１から換気ユニット５０へ、または換気ユニット５０から箱体８１へ電力を供給するためのものであると示した。
【００９８】
これに限らず、電力供給線３５１ａ、３５３、３５５ａを、信号線により構成し、箱体８１と換気ユニット５０との間の信号の送受信に用いても良い。この場合、信号線の一端は、箱体８０内に配設されたＣＣＵに接続してもよい。
【００９９】
また、本実施の形態においては、連通管２００が箱体８１及び換気ユニット５０に対して着脱自在な構成を例に挙げて示したが、これに限らず、上述した第１実施の形態に示したように、連通管２００が、箱体８０及び換気ユニット５０に固定されているものにも適用できるといったことは勿論である。
【０１００】
この場合、各コネクタを用いずに、箱体８１に配設された電源ユニット４０またはＣＣＵと、換気ユニット５０に配設されたファン５１を駆動する電源ユニット５０ａとを、電力供給線または信号線を用いて接続すれば良い。
【０１０１】
（第４実施の形態）
図９は、本発明の第４実施の形態を示す内視鏡装置の箱体の概略正面図、図１０は、図９の箱体と、換気ユニットとを接続する連通管の断面図である。  
この第４実施の形態の内視鏡装置４０１の構成は、上記図１〜図６に示した第１実施の形態の内視鏡装置１、上記図７に示した第２実施の形態の内視鏡装置２０１、及び上記図８に示した第３実施の形態の内視鏡装置３０１と比して、箱体８１に、さらに換気手段を設けた点、連通管２００に固定された連結部２００ａの内部にプッシュスイッチを設けた点のみが異なる。よって、この相違点のみを説明し、第１〜第３実施の形態と同様の構成には同じ符号を付し、その説明は省略する。
【０１０２】
図９に示すように、内視鏡装置４０１の箱体８１の任意の面に、箱体８１の内部８１ｉと外部とを連通する貫通孔である排出口４６１を有する換気手段であるファン４６２が配設されている。
【０１０３】
また、図１０に示すように、内視鏡装置４０１の箱体８１に固定された連結部２８１に配設された座金２２１の内周面に、プッシュスイッチ４６３が配設されている。該プッシュスイッチ４６３に、箱体８１に配設された電源ユニット４０（図２参照）に一端が接続された電力供給線４６３ａの他端が接続されている。さらに、連通管２００の一端に固定された連結部２００ａに配設された座金２２２の内周面の先端側に、連結部２００ａの先端側に突出する突起４６４が配設されている。
【０１０４】
以下、このように構成された本実施形態の内視鏡装置４０１の作用を説明する。  
箱体８１に固定された連結部２８１に、連通管２００の一端に固定された連結部２００ａが接続されていない場合は、図示しないリモコンによって、内視鏡装置４０１の電源がオンされると、箱体８１に配設されたファン４６２は、一の方向に回転する。このことにより、空気Ａは、箱体８１のフロントパネル８１Ｆに形成された開口６５（いずれも図１参照）から箱体８１の内部８１ｉに進入する。
【０１０５】
箱体８１の内部８１ｉに進入した空気Ａは、箱体８１の内部８１ｉまたは貫通孔３ｈを介してドラム部３の内部３ｉに配設された光源部７７（いずれも図１参照）等の発熱部に送気される。このことにより、光源部７７は冷却され、さらに箱体８１の内部８１ｉ及びドラム部３の内部３ｉの雰囲気は冷却される。
【０１０６】
その後、箱体８１の内部８１ｉの雰囲気Ａ’は、ファン４６２により、排出口４６１から外方に排気される。このようにして、箱体８１の内部８１ｉの雰囲気Ａ’は、箱体８１の外部に排気される。
【０１０７】
一方、内視鏡装置４０１を静音下において使用する場合は、上述したように、箱体８１に、換気ユニット５０が接続された所定の長さを有する連通管２００を接続する。詳しくは、箱体８１に、連通管２００を固定する際は、箱体８１に固定された連結部２８１の座金２２１の外周に形成された雄ネジ２２８に、連通管２００の連結部２００ａの内周に形成された雌ネジ２２５が螺合される。
【０１０８】
このことにより、連結部２８１に配設されたプッシュスイッチ４６３は、連結部２００ａに配設された突起４６４の押圧されオン状態となる。該プッシュスイッチ４６３のオンにより、ファン４６２は停止する。
【０１０９】
その後、連通管２００の他端に固定された連結部２００ｂと、換気ユニット５０とを上述した第３実施の形態において説明したように接続することにより、換気ユニット５０に、コネクタ３５１、３５２、３５４、３５５、電力供給線３５１ａ、３５３、３５５ａを介して、箱体８１の電源ユニット４０から電力が供給される。該供給された電力により、換気ユニット５０のファン５１は一の方向に回転することから、ファン５１は、箱体８１の内部８１ｉの雰囲気Ａ’を箱体８１の外部に排出する。
【０１１０】
このように、本発明の第４実施の形態のおいては、箱体８１に、さらにファン４６２を設けた。よって、箱体８１に、連通管２００を介して換気ユニット５０が接続されていなくても、ファン４６２の風切り音、ファン４６２を駆動するモータ音等が無視できる環境においては、使用することができる。
【０１１１】
また、箱体８１に固定された連結部２８１に、連通管２００の一端に固定された連結部２００ａが接続された際は、連結部２００ａに配設された突起４６４に押圧されることにより、連結部２８１に配設されたプッシュスイッチ４６３がオン状態となり、ファン４６２は停止することから、静音が望まれる環境においても使用することができる内視鏡装置４０１を提供することができる。
【０１１２】
尚、その他の効果は、上述した第１〜第３実施の形態に示した効果と同様である。
【０１１３】
以下、変形例を示す。本実施の形態においては、箱体８１に配設されたファン４６２は、箱体８１に連通管２００が接続されると停止すると示した。これに限らず、例えば手動スイッチにより、ファン４６２を停止することができる。
【０１１４】
また、箱体８１に配設されたファン４６２は、箱体８１に連通管２００が接続されていない場合に用いると示した。これに限らず、箱体８１に連通管２００が接続されている場合においても、静音が望まれる環境において使用しなければ、ファン４６２を箱体８１の内部８１ｉに空気Ａを吸気するために用い、換気ユニット５０のファン５１を箱体８１の内部８１ｉの雰囲気Ａ’を排出するために用いても良い。さらに、逆に、ファン５１を箱体８１の内部８１ｉに空気Ａを吸気するために用い、ファン４６２を箱体８１の内部８１ｉの雰囲気Ａ’を排出するために用いても良い。
【０１１５】
以下、本発明の第１〜第４実施の形態における変形例を図１１を用いて説明する。図１１は、内視鏡装置の箱体から、換気ユニット５０を引き出した変形例を示す斜視図である。
【０１１６】
図１１に示すように、内視鏡装置１の箱体８１の窪み８１ｓに形成された排気口８１ｈに、案内手段である所定の長さを有する可撓性を有するホース５００の一端が接続されている。また、ホース５００の他端は、換気ユニット５０の吸気口５０ｅに接続されている。
【０１１７】
換気ユニット５０は、上述したように、箱体８１の窪み８１ｓに収納される。この際、ホース５００は、箱体８１の内部８１ｉに配設された図示しない回動部材に、巻き付けられて箱体８１の内部８１ｉに収納される。
【０１１８】
また、また、ホース５００は、可撓性を有するため、上述した図６に示したように、例えば箱体８１に対して壁１２０を挟んで換気ユニット５０を設置してもよい。また、ホース５００は、変形させることにより自由な位置に配置することができる。
【０１１９】
このように、案内手段としてホースを用いて内視鏡装置１を構成しても、静音が望まれる環境において使用することができる。
【０１２０】
また、以下、本発明の第１〜第４実施の形態のおける変形例を図１２を用いて説明する。図１２は、内視鏡装置の箱体から、換気ユニット及び連通管を分解して変形例を示した斜視図である。
【０１２１】
図１２に示すように、内視鏡装置１の箱体８１の窪み８１ｓに形成された排気口８１ｈに、案内手段である所定の長さを有する硬質のパイプ６００の一端が接続されている。また、パイプ６００の他端は、換気ユニット５０の吸気口５０ｅに接続されている。
【０１２２】
案内手段に、硬質のパイプ６００を用いると、換気ユニット５０を箱体８１の窪み８１ｓに収納することができなくなるが、硬質のパイプ６００の他端を、例えば工場等の施設の排気装置に接続することが可能となる。よって、内視鏡装置１を工場の排出装置と一体化して使用することができる。
【０１２３】
このように、案内手段にパイプ６００を用いて内視鏡装置１を構成しても、静音が望まれる環境において使用することができる。
【０１２４】
ところで、内視鏡装置の箱体８１の内部８１ｉの雰囲気Ａ’を、箱体８１の外部に排出する場合、上述したようなファンを用いずに、ヒートパイプを用いて行っても良い。図１３は、内視鏡装置の箱体の排気口に、ヒートパイプが被覆された接続ホースが接続されていることを示す斜視図である。
【０１２５】
図１３に示すように、内視鏡装置１の箱体８１の窪み８１ｓに形成された排気口８１ｈに、案内手段である所定の長さを有するホース７００の一端が接続されている。また、ホース７００に、ヒートパイプ７１０が被覆されている。
【０１２６】
ヒートパイプ７１０は、例えばウィックという網目状材料を内張りした金属パイプの中に少量の液体が封入されており、該液体が片方で熱せられると蒸気流となって他方に移動し、他方で冷やされるとまた液体化してウィックを通して元に戻るという対流構造を利用した既知の熱伝導媒体である。
【０１２７】
箱体８１の内部８１ｉの雰囲気Ａ’は、ホース７００に伝達される。ホース７００には、ヒートパイプ７１０が被覆されているため、雰囲気Ａ’の熱を、箱体８１から遠方の位置に放出することができる。
【０１２８】
尚、この際、ヒートパイプ７１０の箱体から離れた他端を風通しの良いところに配置すると、より一層雰囲気Ａ’の熱を効率良く放出することができる。
【０１２９】
このように、ヒートパイプが被覆されたホースを用いて内視鏡装置１を構成すると、ファンを用いる必要がなくなるため、静音が望まれる環境において使用することができる。
【図面の簡単な説明】
【０１３０】
【図１】本発明の第１実施の形態を示す内視鏡装置の一部を破いて示した斜視図。
【図２】図１中のドラム部と周辺部材の一部を破いて構成を示した部分透視斜視図。
【図３】図１中の内視鏡装置の箱体から、換気ユニットを引き出した状態を示す斜視図。
【図４】図３の概略正面図。
【図５】図４中の換気ユニットを箱体に収納した状態を示す概略正面図。
【図６】図１中の内視鏡装置の箱体から引き出した換気ユニットを、箱体に対して壁を挟んで配置した状態を示す斜視図。
【図７】本発明の第２実施の形態を示す内視鏡装置の箱体と、換気ユニットとを接続する連通管の断面図。
【図８】本発明の第３実施の形態を示す内視鏡装置の箱体と、換気ユニットとを接続する連通管の断面図。
【図９】本発明の第４実施の形態を示す内視鏡装置の箱体の概略正面図。
【図１０】図９中の箱体と、換気ユニットとを接続する連通管の断面図。
【図１１】図１中内視鏡装置の箱体から、換気ユニットを引き出した変形例を示す斜視図。
【図１２】図１中の内視鏡装置の箱体から、換気ユニット及び連通管を分解して変形例を示した斜視図。
【図１３】内視鏡装置の箱体の排気口に、ヒートパイプが被覆された接続ホースが接続されていることを示す斜視図。
【符号の説明】
【０１３１】
１…内視鏡装置
２…内視鏡
８…装置本体
２１…内視鏡挿入部
４０…電源ユニット
５０…換気ユニット
５０ａ…電源ユニット
５０ｅ…吸気口
５１…ファン
７７…光源部
８１ｈ…排気口
１００…連通管（蛇腹状の管）
１００ａ…連通管の一端
１００ｂ…連通管の他端
２００…連通管（蛇腹状の管）
２００ａ…連通管の一端
２００ｂ…連通管の他端
２０１…内視鏡装置
２２１ｈ…貫通孔
２３２ｈ…貫通孔
２５１…連結部
２８１…連結部
３０１…内視鏡装置
３５１…コネクタ
３５２…コネクタ
３５３…電力供給線
３５４…コネクタ
３５５…コネクタ
４０１…内視鏡装置
４６２…ファン
４６３…プッシュスイッチ
４６４…突起
５００…連通管（ホース）
６００…連通管（パイプ）
Ａ’…箱体内の雰囲気
代理人    弁理士    伊藤  進
【図１】
2006030901.tif 000003
【図２】
2006030901.tif 000004
【図３】
2006030901.tif 000005
【図４】
2006030901.tif 000006
【図５】
2006030901.tif 000007
【図６】
2006030901.tif 000008
【図７】
2006030901.tif 000009
【図８】
2006030901.tif 000010
【図９】
2006030901.tif 000011
【図１０】
2006030901.tif 000012
【図１１】
2006030901.tif 000013
【図１２】
2006030901.tif 000014
【図１３】
2006030901.tif 000015